(57)【要約】【課題】羽根の動作の異なる運転モードを切替可能とした場合に、いずれの運転モードを選択したときにおいても、安全に使用することのできる温風暖房装置を提供する。【解決手段】温風暖房装置は、吹出口８に回動可能な複数の可動羽根１２を備え、可動羽根１２を設定された角度範囲内で上下に回動させる可動モードと、設定された角度に固定する固定モードとを切替可能とする。そして、可動モードと固定モードのいずれにおいても可動羽根１２を全開角度まで開く全開動作を実行する。これにより、可動羽根１２が正しく動作しているかをチェックするだけでなく、角度の誤差を修正したり、手で操作されてしまった場合でも正しい位置に戻したりすることができるため、安全に使用することが可能となる。【選択図】図７
2020024070.tif 000002
【特許請求の範囲】
【請求項１】
熱を発生する熱発生手段と、
温風を吹き出す吹出口と、
前記吹出口に設けられた回動可能な複数の羽根と、
前記羽根を回動させるモータと、
運転モードを設定するモード設定手段と、
前記モード設定手段からの指示に基づき、前記モータを駆動して前記羽根を設定された角度範囲内で上下に回動させる可動モードと、前記羽根を設定された角度に固定する固定モードと、を実行可能な制御部と、を備え、
前記制御部は、前記可動モードと前記固定モードのいずれにおいても前記モータを駆動して前記羽根を全開角度まで開く全開動作を実行する温風暖房装置。
【請求項２】
前記制御部は、前記可動モードにおいて前記羽根の回動周期よりも長い間隔で前記全開動作を実行する請求項１記載の温風暖房装置。
【請求項３】
前記制御部は、前記固定モードにおいて前記全開動作を所定間隔で実行し、
前記固定モードにおける全開動作を実行する間隔は、前記可動モードにおいて前記全開動作を実行する間隔より長い請求項２記載の温風暖房装置。
【請求項４】
前記制御部は、前記可動モードにおいて前記羽根が設定された最大角度および最小角度に到達すると、前記羽根をその角度で所定時間保持する停止保持動作を実行し、前記全開動作を前記停止保持動作の終了後に実行する請求項２または３記載の温風暖房装置。
【請求項５】
前記羽根の角度を検知する角度検知手段を備え、
前記全開動作は、前記羽根が所定角度まで上方に回動したことを前記角度検知手段が検知した後、さらに前記羽根を機械的に回動可能な最大角度まで開く動作である請求項１から４のいずれかに記載の温風暖房装置。
【請求項６】
前記吹出口に、水平方向に延びる少なくとも一つの回動しない固定羽根を備える請求項１から５のいずれかに記載の温風暖房装置。
【発明の詳細な説明】
【技術分野】
【０００１】
本発明は、温風を発生させて室内を暖房する温風暖房装置に関するものである。
【背景技術】
【０００２】
従来、この種の暖房装置としては、例えば、本体内にバーナ等の熱発生手段を備え、バーナで発生した燃焼ガスと本体に取り込んだ室内の空気とを混合して温風とし、この温風を本体前面に設けた吹出口から吹き出して室内を暖房するものが知られている。そして、この吹出口には、上下に回動可能な羽根を設けて、吹出される温風の風量に応じて羽根を上下に回動（スイング）させることにより、室内の温度分布を均一にして、暖房効果を高めるようにしたものがある。
【０００３】
このように、可動する羽根を備える暖房装置においては、例えば本体の前面に障害物があって羽根の動きが制限されたり、羽根を駆動するモータの故障などにより、羽根が正しく動作しないような場合には、温風の吹き出しが阻害されて本体や床面が加熱してしまうという問題が発生する。そこで、羽根が正しく動作しているかをチェックして、その動作が確認できない時には運転を停止することで、機器の安全性を確保するようになっている。
【０００４】
そして、羽根の動作チェック方法としては、一旦羽根を基準点、例えば全開の状態まで回動させた後、元の位置まで復帰させることが提案されている（例えば、特許文献１）。
【先行技術文献】
【特許文献】
【０００５】
【特許文献１】特許第２８９０９９６号公報
【発明の概要】
【発明が解決しようとする課題】
【０００６】
ところで、上述の暖房装置には、複数の運転モードを切替可能に備えることが可能である。そして、運転モードによって可動羽根の動作方法も異なる場合があり、上述のチェックだけでは、羽根が正しく動作しているかを確認することができないおそれがある。
【０００７】
本発明は、可動羽根の動作の異なる運転モードを切替可能とした場合に、いずれの運転モードを選択したときにおいても、安全に使用することのできる温風暖房装置を提供することを目的とする。
【課題を解決するための手段】
【０００８】
本発明は、熱を発生する熱発生手段と、
温風を吹き出す吹出口と、
前記吹出口に設けられた回動可能な複数の羽根と、
前記羽根を回動させるモータと、
運転モードを設定するモード設定手段と、
前記モード設定手段からの指示に基づき、前記モータを駆動して前記羽根を設定された角度範囲内で上下に回動させる可動モードと、前記羽根を設定された角度に固定する固定モードと、を実行可能な制御部と、を備え、
前記制御部は、前記可動モードと前記固定モードのいずれにおいても前記モータを駆動して前記羽根を全開角度まで開く全開動作を実行する温風暖房装置である。
【発明の効果】
【０００９】
上述のように構成することにより、羽根を上下に回動させない運転モードにおいても、羽根の位置のズレを修正することができるため、より安全性の高い温風暖房装置となる。
【図面の簡単な説明】
【００１０】
【図１】本実施形態における温風暖房装置の内部構成図である。
【図２】本実施形態における温風暖房装置の断面構成図である。
【図３】吹出口の拡大断面図である。（Ａ）は羽根を閉じた状態を示し、（Ｂ）は羽根を開いた状態を示す。
【図４】本実施形態における温風暖房装置の、羽根を駆動する機構の斜視図である。
【図５】同機構の正面図である。
【図６】本実施形態における温風暖房装置の構成を示すブロック図である。
【図７】本実施形態における全開動作の制御の一例を示すフローチャートである。
【図８】本実施形態の可動モードにおける可動羽根の動作を示すタイミングチャートである。
【発明を実施するための形態】
【００１１】
好適と考える本発明の実施形態を、本発明の作用を示して簡単に説明する。
【００１２】
本発明は、温風を吹き出す吹出口に、モータの駆動により回動する複数の羽根を備え、この羽根を設定された角度範囲内で上下に回動させる可動モードと、羽根を設定された角度に固定する固定モードとを切替可能とした温風暖房装置であって、可動モードと固定モードのいずれにおいても羽根を全開角度まで開く全開動作を実行する。これにより、羽根が正しく動作しているかをチェックするだけでなく、羽根の角度の誤差を修正したり、手などで操作されてしまった羽根を正しい位置に戻したりすることができるため、暖房装置をより安全に使用することができる。
【００１３】
また、可動モードでは、羽根が上下に往復するのに要する時間を回動周期とした場合に、回動周期よりも長い間隔で全開動作を実行することで、羽根が全開位置に到達する回数を抑える。これにより、温風の吹き上がりが抑制され、室内の温度分布を均一にして暖房効果を向上させることができる。
【００１４】
また、固定モードにおける全開動作の実行間隔を、可動モードにおける全開動作の実行間隔よりも長く設定することで、固定モードであるにも係わらず、羽根が動作して煩わしく感じられてしまうことを回避し、使用感を向上させることができる。
【００１５】
また、可動モードでは、羽根が動作範囲内での最大角度または最小角度に到達したときに、羽根をその角度で所定時間停止し保持する停止保持動作を実行することができ、停止保持動作を実行する場合、全開動作は停止保持動作が終了した後で実行する。これにより羽根の動きがせわしなく感じられてしまうことを回避しつつ、全開動作を実行することができる。
【００１６】
また、全開動作では、羽根が所定角度に到達したことを角度検知手段が検知した後、さらに駆動用モータを回転させて可動羽根を機械的に回動可能な最大角度である上限角度まで開く動作を行う。これにより、機械的な上限角度をモータ駆動の基点とすることができるため、角度検知手段の検知角度に誤差があったとしても、誤差の影響を受けることなく可動羽根の角度を修正することができる。
【００１７】
また、水平方向に延びる回動しない固定羽根を備えることができる。固定羽根に沿って、前方に向けて温風が吹き出されるため、意図する方向へ効率よく温風を排出することができる。
【実施例１】
【００１８】
以下、本発明の一実施例を図面により説明する。
【００１９】
図１は、温風暖房装置の内部構成図であり、図２は、温風暖房装置の断面構成図である。なお、本実施形態では、温風暖房装置の一例として燃料を燃焼させて暖房を行うファンヒーターを例に説明する。
【００２０】
本体１内には、灯油を加熱して気化ガスとする気化器２と、気化器２で発生した気化ガスを燃焼して熱を発生させる熱発生手段としてのバーナ３と、バーナ３の上方に設けられた燃焼室４と、図示しない給油タンクから供給された灯油を貯留する油受皿５と、油受皿５上に載置され気化器２へ灯油を汲み上げる電磁ポンプ６を備えている。
【００２１】
そして本体１の背面には、室内の空気を本体１内部に取り入れる送風機７が取り付けられる。また、本体１の正面には、暖房装置の動作を指示するための多数のスイッチが設けられた操作部１５と、温風を吹出す吹出口８が取り付けられており、この吹出口８は複数の羽根９を備えている。
【００２２】
燃焼室４は、その上部に、バーナ３で発生した燃焼排ガスが排出される開口４ａを有し、さらに燃焼室４を覆うように遮熱板１０が設けられている。燃焼室４と遮熱板１０の間は、燃焼排ガスと送風機７からの空気とを混合して温風とする温風通路１１として構成されている。
【００２３】
このように構成される温風暖房装置では、バーナ３の燃焼により発生した燃焼排ガスと、送風機７によって本体１内に取り込まれた空気とを温風通路１１を通過する間に混合させて温風とし、吹出口８の羽根９の間から室内に排出することで室内を暖房するようになっている。
【００２４】
図３は、吹出口の拡大断面図であり、図３（Ａ）は可動羽根を閉じた状態を示し、図３（Ｂ）は可動羽根を所定角度開いた状態を示す断面図である。本実施形態の温風暖房装置においては、吹出口８は上下に回動可能な３枚の可動羽根１２と、この可動羽根１２の間に配置されて水平方向に延びる回動しない２枚の固定羽根１３を備えている。運転が停止しているときは、図３（Ａ）のように可動羽根１２は閉じられており、運転を開始（バーナ３での燃焼を開始）すると、後述する羽根駆動モータ２３が回転して可動羽根１２を駆動して、図３（Ｂ）のように可動羽根１２が開いた状態となる。なお、以降の説明において、可動羽根１２の角度とは、図中のθで示す角度を指すものとする。
【００２５】
可動羽根１２はバーナ３での燃焼量に応じて上下方向に回動させることができ、温風の吹き出す角度を調節する。一方、固定羽根１３は、温風通路１１を通過した温風を前方に誘導する役割を有する。可動羽根１２の縦方向の長さ（図３（Ａ）における上下方向の長さ）が長い場合には、羽根と羽根の間隔が広くなるため、温風通路１１を通過した温風が羽根の間から下方に向かって流れやすくなってしまうが、固定羽根１３を設けることで、本体１の前方に向けて温風を吹き出すことができるため、意図する方向へ効率よく温風を排出することができる。とくに、本実施形態のように、温風通路１１が下方に向かっていて、温風が吹き下ろされる構造である場合には、固定羽根１３がより効果を発揮する。なお、固定羽根１３を設けない構造であってもかまわない。
【００２６】
図４は、可動羽根を駆動する機構の斜視図であり、図５は、同機構の正面図である。可動羽根１２を備えた吹出口８は、支持金具２０によって本体１に取り付けられるようになっている。
【００２７】
支持金具２０には、回動軸２１を介して可動羽根１２と連結された連携カム２２と、可動羽根１２を駆動するための羽根駆動モータ２３と、羽根駆動モータ２３と連結された駆動用カム２４と、可動羽根１２の角度を検知する角度検知手段２５が取り付けられており、さらに、回動軸２１を中心とした連携カム２２の回転動作を案内するガイド孔２６が設けられている。
【００２８】
連携カム２２は、二つのピン（第１ピン２２１、第２ピン２２２）を備えている。第１ピン２２１は前述の回動軸２１と連結し、第２ピン２２２は、支持金具２０に対して摺動自在に設けられる駆動板２７と連結している。そしてこの駆動板２７には、駆動用カム２４から延びる駆動軸２４１が係止されるとともに、駆動軸２４１の先端に取り付けられたバネ部材２８の一端が取り付けられている。また、駆動板２７の下部には後述する角度検知手段２５に対応する遮蔽片２９が設けられている。
【００２９】
羽根駆動モータ２３は正逆回転可能なステッピングモータで構成され、後述する制御部３０からの指示に基づいて回転が制御される。そして、羽根駆動モータ２３の回転によって駆動用カム２４が回動すると駆動板２７が上下に移動し、この駆動板２７の上下動が連携カム２２を介して可動羽根１２を上下に回動させる。つまり、駆動板２７が下方に移動すると、連携カム２２が矢印Ａの方向に回転して可動羽根１２は上向きに回動する。反対に、駆動板２７が上方に移動すると、連携カム２２が矢印Ｂの方向に回転して可動羽根１２は下向きに回動することとなる。可動羽根１２が上向きに回動して所定角度に到達したことは、角度検知手段２５により検知される。
【００３０】
角度検知手段２５は、例えば発光部２５１と、発光部２５１に対向して配置された受光部２５２を備えるフォトインタラプタで構成される。羽根駆動モータ２３を回転させて可動羽根１２を上向きに回動させると、駆動板２７が下方に移動する。そして、可動羽根１２の角度が所定角度になると遮蔽片２９が発光部２５１と受光部２５２の間に入り込んで発光部２５１からの光を遮断する。つまり、受光部２５２が光を検知できなくなると、可動羽根１２が所定角度に到達したと判定される。なお、角度検知手段２５の構成はこれに限らず、他の検知方式を用いてもよい。
【００３１】
図６は、温風暖房装置の構成を示すブロック図である。マイクロコンピュータからなる制御部３０は、室内の温度を検知する温度検知手段１６、操作部１５に設けられた各種設定手段（例えば、温度を設定する室温設定手段１７、運転モードを設定する運転モード設定手段１８）、可動羽根１２の角度を検知する角度検知手段２５、からの入力を受ける。そして、気化器２を加熱するヒータ１４、電磁ポンプ６、送風機７、羽根駆動モータ２３への制御信号を出力し、暖房運転を制御する。
【００３２】
また、制御部３０は、バーナ３での燃焼量を演算して決定する燃焼量制御手段３１、送風機７の回転を制御する送風機制御手段３２、羽根駆動モータ２３の回転を制御する羽根駆動モータ制御手段３３、とを含んで構成される。なお、図の構成は本実施形態にかかる温風暖房装置の一実施例であって、図示される以外のその他の構成要素を含んでいても構わない。
【００３３】
上述の構成からなる暖房装置において、運転の開始を指示すると、まずヒータ１４への通電を開始して気化器２が加熱される。気化器２が液体燃料を気化することができる温度に到達すると、電磁ポンプ６を駆動して気化器２に液体燃料を供給し、気化器２に供給された液体燃料は加熱気化されて気化ガスとなる。気化ガスは気化器２の先端からバーナ３に供給され、バーナ３で燃焼が行われる。燃焼により発生した燃焼排ガスは、送風機７からの空気と混合されて温風となり、吹出口８から排出される。
【００３４】
また、本発明の温風暖房装置は、複数の運転モードを切替可能に備えており、運転モードは操作部１５の運転モード設定手段１８を操作することで選択される。そして、この運転モードには、可動羽根１２を予め設定された角度範囲内で上下方向に回動させる可動モードと、可動羽根１２を予め設定された角度に固定する固定モードを有しており、いずれのモードにおいても可動羽根１２の角度は燃焼量制御手段３１によって決定された燃焼量に応じて設定される。
【００３５】
例えば、燃焼量が大火力のときの可動羽根１２は、可動モードでは７０〜８０度の間で上下動を繰り返し、固定モードでは７５度に固定される。また、燃焼量が小火力のときの可動羽根１２は、可動モードでは６０〜７５度の間で上下動を繰り返し、固定モードでは６５度に固定される。中間火力のときは、大火力と小火力の間の角度に設定される。なお、上述の角度は一例であって、適宜設定することができる。
【００３６】
可動羽根１２は、運転モードによらず、燃焼量が大きいときのほうが、燃焼量が小さいときよりも角度が大きくなるように設定される。つまり、燃焼量が大きい場合には、温風の吹出し角度を水平に近くして温風を遠くまで運ぶとともに、開口面積を大きくすることで本体１内に熱がこもってしまうことを有効に防止することができる。また、燃焼量が小さい場合に吹出開口を下に向けることで、足元を温めることができ、これにより暖房効率をあげることができる。
【００３７】
また、暖房運転中には、可動羽根１２を全開角度まで開く全開動作を実行する。この全開動作は所定時間ごとに実行することができる。なお、ここでいう全開角度とは、可動羽根１２の通常動作時の最大角度と同じか、若しくはそれ以上の角度のことであって、本実施形態では、通常動作時の可動羽根１２の最大角度は８０度（可動モード時における最大角度）に設定されているので、全開角度は８０度以上の角度であればよい。そしてこの全開動作は、可動モード、固定モードのいずれの場合においても実行される。
【００３８】
本体１の前面に障害物があって可動羽根１２の動きが制限されたり、羽根駆動モータ２３の故障などにより、可動羽根１２が設定された角度で動作しない場合、温風の吹出しが阻害されてしまい、本体１内の温度が異常上昇するという問題が発生する。そこで、運転中には全開動作を実行し、可動羽根１２が正しく動作しているかをチェックして、その動作が確認できない時には運転を停止する。これにより、暖房装置を安全に使用することができる。
【００３９】
また、可動モードでは可動羽根１２を上下に回動させる動作を繰り返すことにより、実際の可動羽根１２の角度と、羽根駆動モータ制御手段３３から出力する制御信号との間に誤差が発生する。その他にも、使用者が手などで可動羽根１２の角度を変更してしまい、実際の角度との間にズレが発生することも考えられる。したがって、可動羽根１２の動作に関わらず、暖房運転中に全開動作を実行することで、全開位置を羽根駆動モータ２３の起点とし、可動羽根１２の角度の誤差を修正したり、手などで操作されてしまった可動羽根１２を正しい位置に戻したりすることができる。
【００４０】
この全開動作において、可動羽根１２が所定の第１角度に到達したことは、角度検知手段２５によって検知される。本実施形態の全開動作では、可動羽根１２が第１角度に到達したことを角度検知手段２５が検知した後、さらに羽根駆動モータ２３を回転させて可動羽根１２を機械的に回動可能な最大角度である上限角度まで開く動作を行うようになっている。例えば、第１角度を８０度とした場合、上限角度は８５度であり、この上限角度が全開角度に相当する。このように、可動羽根１２を上限角度まで開くように羽根駆動モータ２３を制御することで、機械的な上限角度をモータの基点とし、これにより、角度検知手段２５の検知角度に誤差があったとしても、誤差の影響を受けることなく可動羽根１２の角度を修正することができる。
【００４１】
図７は、全開動作の制御の一例を示すフローチャートである。運転が開始されると、運転モードに可動モードと固定モードのどちらが設定されているかを判定する（ステップ１）。なお、後述するフローの各ステップの実行中に、運転モード設定手段１８の操作が行われた場合には、都度ステップ１に戻ることとする。
【００４２】
可動モードが設定されている場合（ステップ１でＹｅｓ）、そのときの燃焼量によって予め設定された角度範囲内で可動羽根１２を上下方向に回動させる可動モードを開始し（ステップ２）、全開動作を実行するまでの時間の計測を開始する（ステップ３）。このとき、可動モードにおける全開動作の実行間隔を第１所定時間とする。
【００４３】
そして、ステップ３で計時を開始してから第１所定時間が経過したかを判定し（ステップ４）、第１所定時間が経過した場合には、全開動作を開始する（ステップ５）。全開動作を開始すると、可動羽根１２が全開位置となるまで羽根駆動モータ２３を回転させ（ステップ６）、可動羽根１２が第１角度まで到達したかを角度検知手段２５の検知結果によって判定する（ステップ７）。可動羽根１２が第１角度に到達したことが検知された場合（ステップ７でＹｅｓ）、可動羽根１２が正しく動作していると判断することができ、ここからさらに可動羽根１２が機械的に駆動可能な上限角度になるまで羽根駆動モータ２３を回転させる（ステップ８）。可動羽根１２が上限角度に到達すると、計時をリセットして（ステップ９）、全開動作を終了する（ステップ１０）。その後は、可動モードの動作に復帰する。
【００４４】
ここで、可動羽根１２が上下に往復するのに要する時間を回動周期とすると、可動モードにおける全開動作の実行間隔である第１所定時間は、回動周期よりも長い時間とすることができる。可動羽根１２の回動周期が数十秒程度（燃焼量にもよるが、１０〜２０秒）であったなら、全開動作は数分ごと（例えば３分ごと）に実行される。全開動作を回動周期よりも長い間隔で実行することで、可動羽根１２が全開位置に到達する回数を抑え、温風の吹き上がりを抑制することができる。
【００４５】
また、運転モードに固定モードが設定されていた場合（ステップ１でＮｏ）は、可動羽根１２をそのときの燃焼量によって予め設定された角度に移動させて固定モードを開始し（ステップ１２）、全開動作を実行するまでの時間の計測を開始する（ステップ１３）。固定モードにおける全開動作の実行間隔は第２所定時間とする。
【００４６】
そして、ステップ１３で計時を開始してから第２所定時間が経過したかを判定し（ステップ１４）、第２所定時間が経過した場合には全開動作を開始する（ステップ１５）。全開動作を開始すると、可動羽根１２が全開位置となるまで羽根駆動モータ２３を回転させ（ステップ１６）、可動羽根１２が第１角度まで到達したかを角度検知手段２５の検知結果によって判定する（ステップ１７）。可動羽根１２が第１角度に到達したことが検知された場合（ステップ１７でＹｅｓ）、可動羽根１２が正しく動作していると判断することができ、ここからさらに可動羽根１２が機械的に駆動可能な上限角度になるまで羽根駆動モータ２３を回転させる（ステップ１８）。可動羽根１２が上限角度に到達すると、計時をリセットして（ステップ１９）、全開動作を終了する（ステップ２０）。その後は、可動羽根１２を所定の角度に戻して固定モードの動作に復帰する。
【００４７】
なお、固定モードでは、可動モードのように可動羽根１２が上下動しないため、可動羽根１２の角度に誤差が発生することは少ない。よって、固定モードにおける全開動作の実行間隔である第２所定時間は、可動モードにおける全開動作の実行間隔である第１所定時間よりも長く設定することができる。例えば、可動モードでの全開動作が３分間隔である場合、固定モードでの全開動作は１０分間隔に設定することができる。これにより、固定モードであるにも係わらず、羽根が動作して煩わしく感じられてしまうことを回避することができる。
【００４８】
また、ステップ７およびステップ１７において、可動羽根１２が第１角度まで到達したかを判定しているが、所定時間経過しても角度検知手段２５が可動羽根１２を検知しなかった場合（ステップ７、ステップ１７でＮｏが継続する場合）には異常が発生していると判断して、暖房装置の運転を停止することができる。
【００４９】
このように、本実施形態の暖房装置は、可動モード、固定モードのいずれのモードが設定されていた場合であっても、所定時間ごとに可動羽根１２を全開角度まで開く全開動作を実行するので、可動羽根１２が正しく動作しているかをチェックするだけでなく、可動羽根１２の角度の誤差を修正したり、手で操作されてしまった可動羽根１２を正しい位置に戻したりすることができる。これにより、暖房装置をより安全に使用することができる。
【００５０】
加えて、角度検知手段２５の検知後、さらに羽根駆動モータ２３を回転させて可動羽根１２を機械的に回動可能な最大角度である上限角度まで開く動作を行うことで、角度検知手段２５の誤差の影響を受けることなく可動羽根１２の角度を修正することができる。
【００５１】
ところで、可動羽根１２が常に動いていると、その動きがせわしなく感じられてしまい、使用感を損なうおそれがある。そのため、可動モードにおいては、可動羽根１２が設定された動作範囲内での最大角度または最小角度に到達した場合には、可動羽根１２をその角度で所定時間停止し保持する停止保持動作を実行することができる。これにより、使用感を損なうことなく、可動モードを実行することができる。
【００５２】
停止保持動作における可動羽根１２の停止時間は、任意に設定することができる。本実施形態では、例えば、最大角度到達時は３秒、最小角度到達時には６秒の停止時間を設けることとしている。暖かい空気は上に上がるため、上方向に温風を吹き出すと、足元が暖まりにくくなるおそれがある。そこで、上限角度での停止時間を短くすることで、温風の吹き上がりを抑制して暖房効率を向上させることができる。なお、可動モードにおいて停止保持動作を実行する場合、全開動作は停止保持動作が終了した後で実行する。
【００５３】
図８は、可動モードにおける可動羽根の動作を示すタイミングチャートである。ここでは、可動羽根１２が６５度〜７５度の間で回動する場合を例に説明する。図中のＴ１は、前回の全開動作の終了後、第１所定時間である３分が経過した時点を示している。しかし、Ｔ１では停止保持動作の実行中であるため、停止保持動作が完了するまで全開動作は実行されない。そして、Ｔ２で停止保持動作が終了したため、Ｔ２において全開動作が開始される。全開動作では、Ｔ３で角度検知手段２５が第１角度である８０度を検知し、その後、さらに羽根駆動モータ２３を回転させて機械的に回動可能な上限角度である８５度まで可動羽根１２を開く動作が実行される。そして、Ｔ４で上限角度まで可動羽根１２が到達すると全開動作が終了となり、その後は可動モードの動作に復帰する。なお、可動モードにおいて全開動作を実行した後は、可動羽根１２は回動範囲の最小角度である６５度に向けて下方に回動する。
【符号の説明】
【００５４】
３    バーナ（熱発生手段）
８    吹出口
１２  可動羽根（羽根）
１３  固定羽根
１８  運転モード設定手段
２３  モータ（羽根駆動モータ）
２５  角度検知手段
３０  制御部
【図１】
2020024070.tif 000003
【図２】
2020024070.tif 000004
【図３】
2020024070.tif 000005
【図４】
2020024070.tif 000006
【図５】
2020024070.tif 000007
【図６】
2020024070.tif 000008
【図７】
2020024070.tif 000009
【図８】
2020024070.tif 000010